【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
光通過口が形成されたベース部材と、
該ベース部材に対して移動可能な第１及び第２の遮光部材と、
前記ベース部材の一方の面に対して、前記第１及び第２の遮光部材を挟むように配置された押さえ部材と、
第１のコイルに通電して第１のロータマグネットを回転させることにより、前記第１の遮光部材を駆動する第１の駆動ユニットと、
第２のコイルに通電して第２のロータマグネットを回転させることにより、前記第２の遮光部材を駆動する第２の駆動ユニットとを有し、
前記第１及び第２のコイルは、前記ベース部材の他方の面と、前記押さえ部材の前記ベース部材側とは反対側の面との間のスペース内に配置されていることを特徴とする光量調節装置。
【請求項２】
前記第１及び第２のロータマグネットは、光軸に対して略点対称な配置関係を有することを特徴とする請求項１に記載の光量調節装置。
【請求項３】
前記ベース部材には、前記第１のロータマグネット及び前記第１の遮光部材を回転可能に支持する第１の支持軸と、前記第２のロータマグネット及び前記第２の遮光部材を回転可能に支持する第２の支持軸とが設けられており、
前記第１及び第２の支持軸は、光軸に対して略点対称な配置関係を有することを特徴とする請求項２に記載の光量調節装置。
【請求項４】
前記押さえ部材と前記ベース部材を締結する第１及び第２の締結部材を有しており、
前記第１及び第２の締結部材は、光軸に対して略点対称な配置関係を有することを特徴とする請求項２又は３に記載の光量調節装置。
【請求項５】
前記ベース部材には、前記第１及び第２のコイルに対して光軸側に退避した第１及び第２の凹形状部が設けられていることを特徴とする請求項２から４のいずれか１つに記載の光量調節装置。
【請求項６】
前記押さえ部材及び前記ベース部材にそれぞれ当接する第１及び第２の当接面を備え、端子を保持する端子保持部材を有しており、
前記第１の当接面は、前記第１及び第２のコイルのうち光軸方向での前記押さえ部材側に位置する第１の面よりも前記押さえ部材の略厚み分だけ、前記ベース部材側に位置しており、
前記第２の当接面は、前記第１及び第２のコイルのうち光軸方向での前記押さえ部材側とは反対側に位置する第２の面よりも前記ベース部材の略厚み分だけ、前記押さえ部材側に位置していることを特徴とする請求項５に記載の光量調節装置。
【請求項７】
請求項１から６のいずれか１つに記載の光量調節装置を有することを特徴とする光学機器。
【手続補正２】
【補正対象書類名】明細書
【補正対象項目名】００１０
【補正方法】変更
【補正の内容】
【００１０】
上記課題を解決するために、本願発明の光量調節装置は、光通過口が形成されたベース部材と、ベース部材に対して移動可能な第１及び第２の遮光部材と、ベース部材の一方の面に対して、第１及び第２の遮光部材を挟むように配置された押さえ部材と、第１のコイルに通電して第１のロータマグネットを回転させることにより、第１の遮光部材を駆動する第１の駆動ユニットと、第２のコイルに通電して第２のロータマグネットを回転させることにより、第２の遮光部材を駆動する第２の駆動ユニットとを有し、第１及び第２のコイルは、ベース部材の他方の面と、押さえ部材のベース部材側とは反対側の面との間のスペース内に配置されていることを特徴とする。
【手続補正３】
【補正対象書類名】明細書
【補正対象項目名】００１１
【補正方法】変更
【補正の内容】
【００１１】
本願発明の光量調節装置によれば、第１及び第２の遮光部材、第１及び第２のコイルを、ベース部材の他方の面と、押さえ部材のベース部材側とは反対側の面との間のスペース内に配置することができるため、光量調節装置を光軸方向において小型化することができる。
【手続補正４】
【補正対象書類名】明細書
【補正対象項目名】００１２
【補正方法】変更
【補正の内容】
【００１２】
また、ベース部材に、第１及び第２のコイルに対して光軸側に退避した第１及び第２の凹形状部を設けることにより、ベース部材の光軸直交面内において、第１及び第２のコイルの一部を配置できるため、光量調節装置を光軸方向において小型化することができる。
【手続補正５】
【補正対象書類名】明細書
【補正対象項目名】００１３
【補正方法】変更
【補正の内容】
【００１３】
さらに、第１の当接面を、第１の面よりも押さえ部材の略厚み分だけ、ベース部材側に位置させるとともに、第２の当接面を、第２の面よりもベース部材の略厚み分だけ、押さえ部材側に位置させた場合、第２の面及びベース部材の他方の面を略同一平面内に配置するとともに、第１の面及び押さえ部材のベース部材とは反対側の面を略同一平面内に配置することができる。
【手続補正６】
【補正対象書類名】明細書
【補正対象項目名】００１５
【補正方法】変更
【補正の内容】
【００１５】
以下、本発明の実施例について、図面を参照して詳細に説明する。 本発明の実施例であるカメラについて図面を参照して説明する。ここで、図１は、本実施例のカメラの斜視図である。
【手続補正７】
【補正対象書類名】明細書
【補正対象項目名】００３５
【補正方法】変更
【補正の内容】
【００３５】
光量調節装置１２の組み立て時において、羽根押さえ板８における、角部８０ｂ、８１ｂの下面には、端子保持部５ｂ、５ｃの上面（第１の当接面）５０ｂ、５０ｃが当接する。この上面５０ｂ、５０ｃは、第１のコイル５の上面（第１の面）よりも寸法ｔ２だけ、下方に位置している。ここで、寸法ｔ２は、羽根押さえ板８の厚み寸法ｔ１と略同一に設定されている。第１のコイル５および第１のステータヨーク４は、羽根押さえ板８および基板１により挟み込まれた状態で固定されている。
【手続補正８】
【補正対象書類名】明細書
【補正対象項目名】００３６
【補正方法】変更
【補正の内容】
【００３６】
羽根押さえ板８における、角部８０ｂ’、８１ｂ’の下面には、端子保持部５ｂ’、５ｃ’の上面（第１の当接面）５０ｂ’、５０ｃ’が当接する。この上面５０ｂ’、５０ｃ’ は、第２のコイル５’の上面（第１の面）よりも羽根押さえ板８の厚み寸法ｔ２だけ、下方に位置している。第2のコイル５’および第２のステータヨーク４’は、羽根押さえ板８および基板１により挟み込まれた状態で固定されている。
【手続補正９】
【補正対象書類名】明細書
【補正対象項目名】００３８
【補正方法】変更
【補正の内容】
【００３８】
また、端子保持部５ｂ〜５ｃ’の下面（第２の当接面）５１ｂ〜５１ｃ’は、第１及び第２のコイル５、５’の下面（第２の面）に対して寸法ｔ３だけ上方に位置している。ここで、寸法ｔ３は、基板１における第１及び第２の凹形状部１ｆ、１ｆ’の厚み寸法ｔ４と略同一に設定されている。
【手続補正１０】
【補正対象書類名】明細書
【補正対象項目名】００６８
【補正方法】変更
【補正の内容】
【００６８】
１ 基板
１ｂ、１ｃ 突き当て面
２ ロータマグネット
２ｂ、２ｂ’ 駆動ピン
３ シャッタ羽根
３ａ 回転軸穴部
３ｂ 長穴部
４、４’ ステータヨーク
５、５’ コイル
５ｂ、５ｃ  端子保持部
６ 絞り羽根
６ａ 回転軸穴部
６ｂ 長穴部
７ 口径板
８ 羽根押さえ板
【手続補正１１】
【補正対象書類名】図面
【補正対象項目名】図２
【補正方法】変更
【補正の内容】
【図２】
2005292355.tif 000001